(57)【要約】【課題】サイズの調整が容易なロール体から作成されるゴミ収集用袋を提供することを課題とする。【解決手段】ゴミ収集用袋２は、ポリエステル繊維からなるニット素材５を長筒状に縫着した筒網を一端からロール状に巻いて形成された巻体を有し、巻端部を内側から外側に向かって折返して巻端部によって巻体を被覆して内包した状態で形成されたロール体から作成され、ロール体から巻出した筒網をカットしたカット網１３の一方の筒開口端１５ａを、ニット素材５から引出したポリエステル糸を利用して閉塞して縛ることにより、袋状に形成される。【選択図】        図４
2004175382.tif 000002
【特許請求の範囲】
【請求項１】
伸縮可能な繊維素材によって長筒状に縫着され、網目構造を有する筒網をロール状に巻いて形成した巻体を備え、
前記巻体は、
前記筒網の巻端部を外側に向かって折返し、前記巻体の外表面を前記巻端部で被覆して形成されていることを特徴とするロール体。
【請求項２】
前記巻体は、
前記筒網を略扁平を為す扁平ロール状に巻いて形成されていることを特徴とする請求項１に記載のロール体。
【請求項３】
請求項１または請求項２に記載のロール体を利用したゴミ収集用袋であって、
前記ロール体から前記筒網を巻出して所定長さにカットして形成され、両端にそれぞれ筒開口端を有するカット網と、
前記カット網の前記筒開口端のいずれか一方から引出され、前記筒網を構成する前記繊維素材の少なくとも一本以上の構成糸とを具備し、
前記構成糸を利用して前記カット網の前記筒開口端の近傍を縛って閉塞し、袋状にされることを特徴とするロール体から作成されるゴミ収集用袋。
【発明の詳細な説明】
【０００１】
【発明の属する技術分野】
本発明は、ロール体、及びロール体から作成されるゴミ収集用袋に関するものでり、特に設置する場所に合わせてサイズ調整が可能なゴミ収集用袋を作成可能なロール体、及びロール体から作成されるゴミ収集用袋に関するものである。
【０００２】
【従来の技術】
従来から、台所のシンク近傍には、水などの液体を透過し、生ゴミなどの固形物を下水道に流さないように捕集可能なゴミ収集用袋（所謂「ゴミ収集用袋」など）が、下水道とつながった排水溝（孔）や三角コーナーなどに設置されていることが多い。このゴミ収集用袋は、一般に紙、繊維、不織布、及びプラスチックなどの素材を用いて製造されている。
【０００３】
以上の従来技術は、当業者において当然として行われているものであり、出願人は、この従来技術が記載された文献を本願出願時においては知見していない。
【０００４】
【発明が解決しようとする課題】
しかしながら、前述のゴミ収集用袋は、生ゴミ等を回収する三角コーナーやシンクの排水孔のサイズに合うように製造された複数サイズのものが予め用意され、使用者（例えば、主婦など）は自宅等で使用している三角コーナーなどに適合するものを、店頭などで選択し購入していた。ところが、使用者が自宅等で使用中の三角コーナーの大きさを把握していないことが多く、購入の際に躊躇したり、あいまいな記憶を頼りに購入することがあった。そのため、実際に三角コーナーに取付けようとした場合、サイズが合致せずに購入が無駄になってしまうことがあった。
【０００５】
ところで、従来から長尺状の物品を製造したり、或いは製品として出荷する場合、一般にロール状に巻取った状態にすることがあった。このとき、ロール状に巻かれた物品の巻戻りを防止するために、巻外端をテープなどで貼付けて巻止めをすることがあった。しかしながら、物品を使用する際には係るテープを取外す必要があり、使用後は再びテープで巻止めをしなければならず、このような作業を煩わしく感じることがあった。そのため、巻体の巻戻りを防止可能なロール体が望まれていた。
【０００６】
そこで、本発明は、上記実情に鑑み、巻止めの機能を有するロール体、及びサイズの調整が可能なロール体から作成されるゴミ収集用袋の提供を課題とするものである。
【０００７】
【課題を解決するための手段】
上記の課題を解決するため、請求項１の発明にかかるロール体は、伸縮可能な繊維素材によって長筒状に縫着され、網目構造を有する筒網をロール状に巻いて形成した巻体を備え、前記巻体は、前記筒網の巻端部を外側に向かって折返し、前記巻体の外表面を前記巻端部で被覆して形成されているものである。
【０００８】
ここで、伸縮可能な繊維素材とは、例えば麻や綿などの天然繊維やポリエステル樹脂などの合成繊維を複数の網目を有するニット状などに編んだものなどが挙げられる。そして、係る繊維素材に力を加えると容易に変形し、さらに加えた力を解除することにより、元の状態に復元する。
【０００９】
したがって、請求項１の発明のロール体によれば、伸縮性を有する繊維素材からなる筒網がロール状（渦巻き状）に巻かれた巻体が形成されている。この巻体の筒網は長筒状、換言すれば中空状を呈している。そして、巻体の最外に位置する巻端部は、外側に向かって折返され、巻体全体を被覆して内包した状態で形成されている。これにより、折返された筒網の巻端部によって巻体が覆われるため、巻体のロール形状が崩れることがない。さらに、係る状態で巻端部を引っ張ることにより、巻体は巻端部に被覆された状態で回転し、巻体から所定の長さの筒網を引出すことが行える。このとき、筒網の内面は、巻体から引出された時には巻端部の外面に変化している。
【００１０】
請求項２の発明にかかるロール体は、請求項１に記載のロール体において、前記巻体は、前記筒網を略扁平を為した扁平ロール状に巻いて形成されているものである。
【００１１】
したがって、請求項２の発明のロール体によれば、請求項１の発明のロール体の作用に加え、筒網が扁平したロール状に巻かれて形成されている。これにより、巻端部が折返された折返し口をさらに外側に向かって折返すことにより、巻体の内面をロール体の外面に変化させることが可能となる。そのため、例えば、ロール体を清掃用具（ウエス）などとして使用した場合、ロール体の汚れた外面（ロール表面）を内部に格納し、未使用の巻体の内面を新たなロール表面にすることが可能となる。これにより、一つのロール体で複数回にわたって新たなロール表面で汚れを取除くことが可能となる。
【００１２】
請求項３の発明にかかるロール体から作成されるゴミ収集用袋は、請求項１または請求項２に記載のロール体を利用したゴミ収集用袋であって、前記ロール体から前記筒網を巻出して所定長さにカットして形成され、両端にそれぞれ筒開口端を有するカット網と、前記カット網の前記筒開口端のいずれか一方から引出され、前記筒網を構成する前記繊維素材の少なくとも一本以上の構成糸とを具備し、前記構成糸を利用して前記カット網の前記筒開口端の近傍を縛って閉塞し、袋状にしたものである。
【００１３】
したがって、請求項３の発明のロール体から作成されるゴミ収集用袋は、ロール体から所定の長さにカットしたカット網を、構成糸を利用して、カット網の一方の筒開口端近傍を縛って閉塞することにより袋状に形成したものである。これにより、使用者はロール体から引出す筒網の長さを適宜調整し、自宅などで使用している三角コーナーなどのサイズに合わせることが行える。さらに、袋状に形成するために、カット網の一部を為す構成糸が利用されるため、筒開口端を閉塞するために特別な部品や器具などを要することがなく、簡便に作成することが行える。
【００１４】
【発明の実施の形態】
以下、本発明の第一実施形態であるロール体１、及びロール体１から作成されるゴミ収集用袋２（以下、「ゴミ収集用袋２」と称す）を図１乃至図５に基づいて説明する。図１は第一実施形態のロール体１の構成を示す説明図であり、図２はロール体１における巻端部３の折返し前の状態を示す説明図であり、図３はロール体１の構成を示す断面図であり、図４はゴミ収集用袋２の構成を示す説明図であり、図５はロール体１からゴミ収集用袋２を作成する作成手順を示した説明図である。
【００１５】
第一実施形態のロール体１は、図１及び図２に示すように、伸縮性を有するポリエステル繊維から構成された複数のメッシュ４を有するニット素材５を長筒状にした筒網６を、一端からロール状（断面渦巻き状）に巻いて形成された巻体７を有し、該巻体７の巻端にあたる巻端部３を長筒状の内側から外側に向かって（図２における矢印Ａ方向）に折返し、巻端部３によって巻体７を被覆し内包した状態で形成されている。
【００１６】
これにより、ロール体１は、図３に示すように、巻端部３の内面９と、巻体７の外面１０とが互いに接することになり、ロール状に巻かれた筒網６の巻状態が解けたり、緩んだりすることが抑制される。さらに、ロール体１は、巻端部３に相対する位置、換言すれば巻端部３を折返した箇所に折返し口１２を有している。
【００１７】
この状態で、ロール体１の巻端部３を、図１及び図３における矢印Ｆ方向に引張ると、巻体７は巻端部３に内包された状態のままで回転し、筒網６が徐々に巻出される。このとき、巻体７の外面１０は折返し口１２を通過すると、巻端部３の内面９に変わって巻き出される。すなわち、巻端部３として巻出された際には筒網６の表裏が逆になっている。加えて、この場合でも巻体７は常に巻端部３の内面９によって被覆されているため、前述のように巻体７のロール状の形態が崩れることがない。そのため、巻端をテープなどで止着し、使用時にそれを外して所定の長さだけ巻出すといった従来のような煩わしい作業が必要とならない。
【００１８】
次に、本発明の第一実施形態のロール体１から作成されるゴミ収集用袋２、及びその作成手順について説明する。ゴミ収集用袋２は、図４に示すように、ロール体１を構成する筒網６を、前述したロール体１からの巻出し操作によって所定の長さだけ巻出してカットしたカット網１３と、カット網１３の筒開口端１５ａ，１５ｂの一方の近傍から引出したニット素材５を構成するポリエステル糸１６とを具備し、ポリエステル糸１６によって筒開口端１５ａを縛って閉塞することにより、結び目１７を作り袋状に形成されている。
【００１９】
さらに、ゴミ収集用袋２の作成手順に基づいて図５に基づいて具体的に説明すると、始めに、前述の巻出し操作によってロール体１から所定長さの筒網６を、巻端部３を引張ることによって巻き出す（図５（ａ））。そして、巻出された筒網６をハサミＳなどを利用してカットする（図５（ｂ））。これにより、所定の長さのカット網１３が作成される。ここで、カットする長さは、家庭のシンクなどに設置されたゴミ収集用袋２を取付ける三角コーナーや或いは排水孔のサイズに合わせて適宜調整することができるる。そして、カットされたカット網１３は、筒網６が長筒状を呈するために、両端に筒開口端１５ａ，１５ｂをそれぞれ有している。その後、いずれか一方の筒開口端１５ａ，１５ｂ（ここでは、筒開口端１５ａを用いる）の近傍（例えば、端から１ｃｍ〜２ｃｍ程度）から、カット網１３を構成するポリエステル繊維製のニット素材５から、一本若しくは複数本のポリエステル糸１６を引出す（図５（ｃ））。このとき、ポリエステル糸１６は、カット網１３がメッシュ状に形成されているため、指などでつまむことにより容易に引き出すことができる。また、ポリエステル糸１６は所定の長さまで引出されるとそれ以上引出せないようになっている。そして、引出したポリエステル糸１６を利用して、カット網１３の筒開口端１５ａを６回から７回程度の複数回にわたって強く巻付けるようにして縛り、筒開口端１５ａを閉塞する（図５（ｄ））。これにより、カット網１３の一方の筒開口端１５ａを閉じることができる。その後、ポリエステル糸１６による結び目１７が袋の内側にくるように（図５（ｅ）における矢印Ｂ方向に）折り返すことにより、ロール体１からゴミ収集用袋２を作成することができる。
【００２０】
以上述べたように、第一実施形態のロール体１は、巻端部３によって巻体７の全体を被覆して内包した状態で形成されているため、巻体７のロール形状を保持することができ、巻体７の巻状態が緩み、ロール形状が崩れることがない。そのため、従来のように、巻端をテープなどで巻止めする必要がない。さらに、この状態で巻端部３を引張ることにより、内包された巻体７から筒網６を所望の長さ引出すことができるため、ロール体１からの巻出しが容易に行える。
【００２１】
そして、第一実施形態のロール体１を利用してゴミ収集用袋２を作成することができる。特に、ロール体１から所定の長さだけ筒網６を引出してカットすることができるため、従来のように予めサイズが規格化されたゴミ収集用袋（「水切りネット」などとも呼ばれることもある）に比べ、自宅などで使用中の三角コーナーのサイズに合致するように調整することができる。そのため、購入時に躊躇することなどがなくなり、また、ロール体１から複数のゴミ収集用袋２を作成することができるため、製造コストも低く抑えることができる。また、使用されているニット素材５としてポリエステル繊維が利用されているため、焼却に際してもダイオキシンなどの有害な成分が発生することがなく、自然環境に悪影響を与える可能性が低い。
【００２２】
次に、本発明の第二実施形態のロール体２０について、図６乃至図７に基づいて説明する。図６は第二実施形態のロール体２０の構成を示す説明図であり、図７は第二実施形態のロール体２０の（ａ）折返し前及び（ｂ）折返し後の状態を示す断面図である。なお、第二実施形態のロール体２０において、第一実施形態のロール体１と同一の構成及び機能を示すものは、同一番号を付し詳細な説明は省略するものとする。
【００２３】
第二実施形態のロール体２０は、図６及び図７に示すように、ポリエステル繊維のメッシュ４を有するニット素材５を縫着して長筒状に形成された筒網６を扁平ロール状に巻いて形成した扁平巻体２２を具備し、巻端部２３が筒の外側に向かって折り返され、扁平巻体２２を被覆して内包した状態で形成されている。すなわち、第一実施形態のロール体１が略円柱形状に巻かれているものに対し、第二実施形態のロール体２０は細長のロール状に巻かれているものである。なお、第一実施形態と同様に巻端部２３が折返されて扁平巻体２２を被覆し、内包した状態で形成されているため、扁平巻体２２の巻状態が緩むことはない。さらに、第二実施形態のロール体２０は、扁平した形状を呈するため巻端部２３の外面によって長方形状を為すロール表面２４を表裏にそれぞれ有している。
【００２４】
そして、上述したように形成した第二実施形態のロール体２０を清掃布２１と使用することができる。ここで、清掃布２１とは、例えば、家庭用の台ふきんや雑巾、或いは工場などの油取り用のウエスなどとして使用するものなどが想定される。
【００２５】
ここで、ロール体２０はニット素材５で形成されているため、水や油などの汚れを吸収し、拭取ることができる。すなわち、各ロール表面２４を、油汚れ（図示しない）などと接触させると、ロール表面２４に該油汚れが移り、当該箇所をきれいにすることができる。そして、汚れを拭取ったロール表面２４は汚れの除去を行う度に次第に汚くなる。なお、前述したようにロール表面２４は表裏にそれぞれ形成されるため、清掃には係る二面を両方使用することができる。
【００２６】
そして、ロール体２０のロール表面２４の表裏面が汚くなった場合、巻端部２３の折返し口２５から指を入れ、該折返し口２５を外側に向かって（図７（ａ）における矢印Ｃ方向）に開くように、ロール体２０を折返す（図７参照）。これにより、ロール体２０の内側に位置する扁平巻体２２の内面２６が、折返しによってロール体２０の新たなロール表面２４ａとして出現する。この新たなロール表面２４ａは、汚れなどを除去していない未使用の状態にあるため、再び汚れの拭取りに用いることができる。なお、ロール表面２４ａがさらに汚れた場合は、上述の操作を繰返し行うことにより、再びきれいなロール表面が扁平巻体２２の内面２６から出現することになる。上述の折返し操作が行える回数は、扁平巻体２２の巻数に応じて決定される。
【００２７】
そのため、第二実施形態のロール体２０を清掃布２１として使用することにより、複数回にわたって新しいロール表面２４で汚れを除去することができ、使用の度に洗浄したり、或いは一回使用しただけで捨ててしまうことがなくなる。さらに、拭取った汚れは扁平巻体２２の内部に格納されるため、清掃後に汚れが人目に付くことがなく、周囲の人間に不快感を与えることがない。
【００２８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００２９】
すなわち、第一実施形態及び第二実施形態で示したロール体１，２０において、ニット素材としてポリエステル繊維を使用するものを示したが、これに限定されるものではなく、その伸縮性を有するように製造した繊維、例えば、アクリル繊維などの合成樹脂、或いは麻や綿などの天然繊維を使用するものであっても構わない。
【００３０】
【発明の効果】
以上のように、請求項１の発明のロール体は、巻端部を折返して巻体を被覆し、内包した状態で形成されるため、巻体の巻状態が緩むことがない。さらに、この状態で巻端部を引張ることにより、筒網を巻体から巻出すことが容易にできる。これにより、従来のようにテープで巻端を巻止めするなどの煩わしさを解消することができる。
【００３１】
請求項２の発明のロール体は、請求項１の発明のロール体の効果に加え、巻体を扁平ロール状に形成することにより、清掃用具として使用することができる。
【００３２】
請求項３の発明のロール体から作成されるゴミ収集用袋は、ロール体から巻出された筒網をカットして作成されるため、ゴミ収集用袋のサイズを容易に決定することができ、自宅などで使用している三角コーナーなどのサイズに簡単に合わせることができる。さらに、袋端を閉塞する手段としてカット網を構成する構成糸が利用されるため、閉塞のために新たな部材を要することがなく、作成が複雑とならない。
【図面の簡単な説明】
【図１】第一実施形態のロール体の構成を示す説明図である。
【図２】ロール体における巻端部の折返し前の状態を示す説明図である。
【図３】ロール体の構成を示す断面図である。
【図４】ロール体から作成されたゴミ収集用袋の構成を示す説明図である。
【図５】ロール体からゴミ収集用袋を作成する作成手順を示した説明図である。
【図６】第二実施形態のロール体の構成を示す斜視図である。
【図７】第二実施形態のロール体の（ａ）折返し前及び（ｂ）折返し後を示す断面図である。
【符号の説明】
１，２０  ロール体
２  ゴミ収集用袋
３，２３  巻端部
４  メッシュ（網目）
５  ニット素材（繊維素材）
６  筒網
７  巻体
９，２６  内面
１０  外面
１２，２５  折返し口
１３  カット網
１５ａ，１５ｂ  筒開口端
１６  ポリエステル糸（構成糸）
２２  扁平巻体（巻体）
【図１】
2004175382.tif 000003
【図２】
2004175382.tif 000004
【図３】
2004175382.tif 000005
【図４】
2004175382.tif 000006
【図５】
2004175382.tif 000007
【図６】
2004175382.tif 000008
【図７】
2004175382.tif 000009